(57)【特許請求の範囲】
【請求項１】
盛土または切土における法面区域の下部に、防水性を有する防草シートに基づいて形成された防草構造体を施工する施工方法であって、
法面に、防草シートの上端部を地表面流下雨水の流入を抑制できるように固定する工程と、
法尻部分に隣接する区域中に防草シートの下端部を固定する工程と、
防草シート内の法面区域に帯水した水を排出する水抜手段を法尻部分または隣接する区域中に設ける工程とを有し、
水抜手段を設ける工程では、
水抜手段として、防草シートの下端部を固定する工程において、固定する下端部に間欠的に密閉されない水抜部を設け、
防草シートの下端部を固定する工程では、
法尻部分に隣接する区域中に掘られた溝状部に防草シートの下端部が埋められて固定され、
水抜部は、防草シートの下端部が埋められないか、または、埋められる深さが浅い、
防草構造体の施工方法。
【請求項２】
盛土または切土における法面区域の下部に、防水性を有する防草シートに基づいて形成された防草構造体を施工する施工方法であって、
法面に、防草シートの上端部を地表面流下雨水の流入を抑制できるように固定する工程と、
法尻部分に隣接する区域中に防草シートの下端部を固定する工程と、
防草シート内の法面区域に帯水した水を排出する水抜手段を法尻部分または隣接する区域中に設ける工程とを有し、
水抜手段を設ける工程では、
水抜手段として、防草シートの下端部を固定する工程において、固定する下端部に間欠的に密閉されない水抜部を設け、
法尻部分に隣接する区域中には側溝が設けられ、
防草シートの下端部を固定する工程では、
少なくとも防草シート自体の融着、接着材による接着、および、両面接着テープによる接着の何れかを用いて側溝に固定し、
水抜部は、融着または接着による固定が実施されない、
防草構造体の施工方法。
【請求項３】
盛土または切土における法面区域の下部に、防水性を有する防草シートに基づいて形成された防草構造体を施工する施工方法であって、
法面に、防草シートの上端部を地表面流下雨水の流入を抑制できるように固定する工程と、
法尻部分に隣接する区域中に防草シートの下端部を固定する工程と、
防草シート内の法面区域に帯水した水を排出する水抜手段を法尻部分または隣接する区域中に設ける工程とを有し、
水抜手段を設ける工程では、
水抜手段として、防草シートを法尻に施工する際に、固定する下端部に沿って間欠的に防草シートの法尻部を貫通させて管状水抜部材を設け、
管状水抜部材は、管状の部材をＴ字型に接合しており、Ｔ字の横管の両端部に取水口を有し、Ｔ字の縦管の端部に排水口を有する、
防草構造体の施工方法。
【請求項４】
前記取水口は、透水防土膜を有する、請求項３記載の防水構造体の施工方法。
【請求項５】
一の水抜部と隣接する他の水抜部との間に、防草シートを貫通して打ち込まれる釘状器具を、防草シートの下端部に沿って間欠的に配置されるように設ける
請求項１又は２記載の防草構造体の施工方法。
【請求項６】
防草シートを貫通して打ち込まれる釘状器具を、防草シートの下端部に沿って間欠的に用い、
水抜部は、釘状器具を中心として両側に設けられる
請求項１又は２記載の防草構造体の施工方法。
【請求項７】
水抜部は、固定する下端部の略０．５〜５ｍ毎に、間欠的に設けられた固定されない５〜３０ｃｍの部分で設けられる
請求項１、２、５及び６の何れか１項記載の防草構造体の施工方法。
【請求項８】
防草シートの各端部のうちの少なくとも一端部を、
当該端部に沿って、釘状器具を少なくとも防草シートを貫通させて法面に対して略間欠的に打ち込むことで、
盛土または切土の法面区域に防草シートを固定する工程を有する、
請求項１〜７の何れか１項記載の防草構造体の施工方法。
【請求項９】
防草シートの端部に沿って、その端部における固定する部分を埋設可能な寸法の溝を堀り、
防草シートの端部を釘状器具で固定した後に、その溝を埋め戻す
請求項１〜８記載の防草構造体の施工方法。
【請求項１０】
一の防草シートにおける盛土または切土に固定された端部に、
隣接する他の防草シートの端部を重ね、重なり部分を固定する工程、
を有する
請求項１〜９の何れか１項記載の防草構造体の施工方法。
【請求項１１】
防草シートが、防水性を有する改質アスファルト系防草シートである、
請求項１〜１０の何れか１項記載の防草構造体の施工方法。
【請求項１２】
一の防草シートにおける、隣接する他の防草シートと重なる端部を、防草シートの融着、接着材による接着、および、両面接着テープによる接着、の少なくとも何れかを用いて固定する、
請求項１〜１１記載の防草構造体の施工方法。
【請求項１３】
防草シートの上端部は、法面に掘られた溝状部に埋められる、
請求項１〜１２の何れか１項記載の防草構造体の施工方法。
【請求項１４】
請求項１〜１３の何れか１項記載の施工方法により形成される、防草構造体。
【発明の詳細な説明】
【技術分野】
【０００１】
本発明は、盛土または切土の法面区域上における草の成育を防止する必要がある場所に防草シートを含む防草構造体を施工する施工方法に関し、特に、法尻部分に隣接する区域中に防草構造体の下端部を固定する施工方法に関する。
【背景技術】
【０００２】
道路、線路等は、盛土または切土の両脇の斜面（法面）に挟まれた上部や、切土の両脇の斜面（法面）に挟まれた下部に形成されることがある。その盛土または切土の両脇の斜面（法面）は、土をむき出しとすると、法面に雑草等が生い茂ってしまう。すると、法面の雑草等により美観が損なわれたり、道路の路肩と法肩または法尻との間の雑草が道路側に伸びることにより通行人や通行車両の安全が損なわれたりする可能性がある。そのため、路肩およびそれに隣接する法面には、雑草などの草の成育を防止させるために防草シートを敷設することが提案されている。なお、本明細書における「法面」とは、道路や線路およびこれらの周辺の法面、切り土、盛り土などでできた法面、段差のある２つの地表面の間の法面、２つの地表面の間の法面および２つの地表面の間などを意味する。
【０００３】
草の成育を防止するためには、例えば、特許文献１に開示されているような防草シートが用いられている。
【０００４】
草の成育を防止するための構造体として、例えば、特許文献２には、法面部上端の路肩部に布設されるコンクリートブロック部と、そのコンクリートブロック部の法面側に一端部が一体的に固定された防草シート部とからなり、コンクリートブロック部を路肩部に布設した状態で、防草シート部を法面部上に展開して法面部を被覆可能とした路肩ブロックが開示されている。
【０００５】
また、特許文献３には、シート両面に多数の凸部を交互に形成した遮光性かつ遮水性の合成樹脂製エンボスシート（防草シート）を、除草すべき地面に敷設、固定したことを特徴とする防草構体が開示されている。この特許文献３には、路肩にガードレールがある場合には、ガードレール支柱と、エンボスシート（防草シート）に形成したガードレール支柱の挿通孔との隙間に、コーキング材を詰めることが開示されている。
【先行技術文献】
【特許文献】
【０００６】
【特許文献１】特開２００２−２７２３４８号公報
【特許文献２】特開２００５−３０７５１８号公報
【特許文献３】特開２００６−１７７１２２号公報
【発明の概要】
【発明が解決しようとする課題】
【０００７】
ところで、道路用や線路用の盛土または切土の法面には、湧き水が出る場合がある。法面における湧き水は、比較的法面の下側で湧出する。例えば、盛土の場合、上側の面に降り注いで浸透した雨水が、盛土の法面の下側から湧出する場合がある。切土の場合は、法面の下側に限らず中腹からも湧出する場合がある。
【０００８】
また、防水性を有する改質アスファルト系の防草シートを法面の上下平面に固定する場合や法面の上下方向に沿って固定する場合、防草シートの端辺を地面に掘った溝に埋め、その端辺に所定間隔おきに釘状器具を打ち込んで固定した後に土石により埋め戻す固定方法や、防草シートの下辺や上辺を道路脇の側溝等の構造物に融着または接着する固定方法が提案されている。防草シートの端辺を溝に埋める方法では、主に、法面の表層を流れる雨水が法面から盛土または切土の中に浸透することを防止できる。
【０００９】
しかし、盛土または切土における法面の下側に防水性防草シートを埋める固定方法や、法面下側の構造物に融着等で防水性防草シートを固定する固定方法の場合、降雨等により法面から湧き水があると、排水に対する大きな抵抗となることがある。その場合、法面において地下水が飽和している帯水層の水位を上げ、防水性の防草シートと法面の間に水が溜まる場合があった。防草シートの内側に水が溜まって水枕状態になると、防草シート自体や防草シート同士の接合部、あるいは上記防草シートと構造物の固定部を破損させる場合があった。また、帯水層の水位が上がることから、盛土または切土の地盤を軟弱化させ、法面の近くの道路等や構造物の地盤を沈下させる等の地盤に悪影響を与える恐れがあった。
【００１０】
そこで本発明は、上記の課題を解決するため、盛土または切土における法面の下側に防水性防草シートを固定する場合に、法面等から防水性防草シートの内部に浸み出してきた湧き水を排出させることができ、防水性防草シートの破損や地盤の軟弱化を防ぐことができる防水性防草シートを含む防草構造体およびその施工方法を提供することを目的とする。
【課題を解決するための手段】
【００１１】
上記課題を解決するために、本発明に係る防草構造体の施工方法は、盛土または切土における法面区域の下部に、防水性を有する防草シートに基づいて形成された防草構造体を施工する施工方法であって、法面に、防草シートの上端部を地表面流下雨水の流入を抑制できるように固定する工程と、法尻部分に隣接する区域中に防草シートの下端部を固定する工程と、防草シート内の法面区域に帯水した水を排出する水抜手段を法尻部分または隣接する区域中に設ける工程とを有する。本態様の防草構造体の施工方法によれば、防草シート下端部の固定時に、防草シートの下端部に水抜手段を設けるので、法面下部に帯水した水を排水させることができる。これにより、盛土または切土の法面下部の地中水の貯留量が飽和して帯水状態になること、及び、法面下部から湧き出した水で防草構造体が水枕状態になって防草シート自体や防草シート同士の接合部、あるいは防草シートと構造物の固定部を破損させる事態を防ぐことができる。
【００１２】
好ましくは、水抜手段を設ける工程では、水抜手段として、防草シートを法尻に施工する際に、固定する下端部に沿って間欠的に防草シートの法尻部を貫通させて管状水抜部材を設けるようにしてもよい。
本態様の防草構造体の施工方法によれば、防草シートの下端部に間欠的に防草シートの法尻部を貫通する管状水抜部材を設けることで、法面下部に帯水した水を排水させることができる。
【００１３】
好ましくは、水抜手段を設ける工程では、水抜手段として、防草シートの下端部を固定する工程において、固定する下端部に間欠的に密閉されない水抜部を設けるようにしてもよい。
本態様の防草構造体の施工方法によれば、防草シート下端部の固定時に、防草シートの下端部を密閉されないように間欠的に水抜部を設けながら固定することで、法面下部から湧き出た水を排水させることができる。
【００１４】
好ましくは、一の水抜部と隣接する他の水抜部との間に、防草シートを貫通して打ち込まれる釘状器具を、防草シートの下端部に沿って間欠的に配置されるように設けるようにしてもよい。
本態様の防草構造体の施工方法によれば、各防草シート下端部の間欠的な水抜部の間に釘状器具を設けるので、水抜き部を設けたことにより防草シートの下端部の固定が弱くなることを抑制することができる。
【００１５】
好ましくは、さらに防草シートを貫通して打ち込まれる釘状器具を、防草シートの下端部に沿って間欠的に用い、水抜部は、釘状器具を中心として両側に設けられるようにしてもよい。
本態様の防草構造体の施工方法によれば、防草シート下端部に沿って間欠的に水抜部を設けることでシート下端部の密閉されない固定を行い、水抜部の中心近くにその針状器具を配置して打ち込むと共に、針状器具の周囲における下端部の辺方向両側に水抜部を形成することで、水抜部に限界以上に水が流れることで膨らんでしまい水抜部の両端の融着が剥がれ、その結果、水抜部の面積が拡大して固定が弱くなることを抑制することができる。
【００１６】
好ましくは、防草シートの上端部は、法面に掘られた溝状部に埋められるようにしてもよい。
本態様の防草構造体の施工方法によれば、防草シートの上端部を法面の溝状部に埋めることで、法面の上部から表層を流れてきた地表面流下雨水が防草シートの内部に流入することを抑制できるだけでなく、法面の内部に浸透することを堰き止めることができるので、法面の内部浸透する水量を減らすことができる。
【００１７】
好ましくは、防草シートの下端部を固定する工程では、法尻部分に隣接する区域中に掘られた溝状部に防草シートの下端部が埋められて固定され、水抜部は、防草シートの下端部が埋められないか、または、埋められる深さが浅いようにしてもよい。
本態様の防草構造体の施工方法によれば、防草シートの下端部を、法尻から略水平になった区域に掘った溝状部に埋めて固定することにより、施工が容易で固定できる。
【００１８】
好ましくは、法尻部分に隣接する区域中には側溝が設けられて、防草シートの下端部を固定する工程では、少なくとも防草シート自体の融着、接着材による接着、および、両面接着テープによる接着の何れかを用いて側溝に固定し、水抜部は、融着または接着による固定が実施されないようにしてもよい。
本態様の防草構造体の施工方法によれば、防草シート下端部を道路用や線路等の脇の側溝に融着または接着により固定することにより、施工が容易で、強固に固定できる。
【００１９】
好ましくは、水抜部は、固定する下端部の略０．５〜５ｍ毎に、間欠的に設けられた固定されない５〜３０ｃｍの部分で設けられるようにしてもよい。
本態様の防草構造体の施工方法によれば、略０．５ｍ〜数ｍ毎に間欠的に数十ｃｍの水抜部を設けることにより、盛土または切土の法面下部における地中水の貯留量が飽和レベルに近くなる前に排水させることができる。
【００２０】
好ましくは、防草シートの各端部のうちから少なくとも一端部を、当該端部に沿って、釘状器具を少なくとも防草シートを貫通させて法面に対して略間欠的に打ち込むことで、盛土または切土の法面区域に防草シートを固定する工程を有するようにしてもよい。
本態様の防草構造体の施工方法によれば、防草シートの端部を、法面に対し、略間欠的な間隔で釘状器具により固定することで、法面に吹き付ける風や法面に沿って吹く風が防草シートの下に入り込むことにより防草シートが浮き上がる事態を抑制できる。
【００２１】
好ましくは、防草シートの端部に沿って、その端部における固定する部分を埋設可能な寸法の溝を堀って、防草シートの端部を釘状器具で固定した後に、その溝を埋め戻すようにしてもよい。
本態様の防草構造体の施工方法によれば、防草シートの端部を溝中で固定して埋め戻すことで、風による防草シートの浮きを無くすことができる。
【００２２】
好ましくは、一の防草シートにおける盛土または切土に固定された端部に、隣接する他の防草シートの端部を重ね、重なり部分を固定する工程を有するようにしてもよい。
本態様の防草構造体の施工方法によれば、複数の防草シートを用いて、それらの端部を重ねて施工することで、防草シートの施工を容易にすることができる。
【００２３】
好ましくは、防草シートが、防水性を有する改質アスファルト系防草シートであるようにしてもよい。
本態様の防草構造体の施工方法によれば、防草シートを防水性のアスファルト系とすることにより、側溝への融着を加熱のみに容易にできる。
【００２４】
好ましくは、一の防草シートにおける、隣接する他の防草シートと重なる端部を、防草シートの融着、接着材による接着、および、両面接着テープによる接着、の少なくとも何れかを用いて固定するようにしてもよい。
本態様の防草構造体の施工方法によれば、防草シート端部を隣接する防草シートの端部と融着するか接着することで、複数の防水性の防草シートが重なった隙間から水が浸入しないようにできる。
【００２５】
また、本発明の防草構造体は、上述の施工方法により形成される。
【発明の効果】
【００２６】
本発明の防草構造体およびその施工方法によれば、盛土または切土における法面の下側に防水性防草シートを固定する場合に、法面等から防水性防草シートの内部に浸み出してきた湧き水を排出させることができ、防水性防草シートの破損や地盤の軟弱化を防ぐことができる防水性防草シートを含む防草構造体およびその施工方法を提供することができる。
【図面の簡単な説明】
【００２７】
【図１】本発明の第１実施形態に係る盛土または切土の法面区域及びその下側隣接区域における防草構造体を示した図であり、（ａ）が上面図であり、（ｂ）が側面からの断面図である。
【図２】本発明の第２実施形態に係る盛土または切土の法面区域及びその下側隣接区域における防草構造体を示した図であり、（ａ）が上面図であり、（ｂ）が側面からの断面図である。
【図３】本発明の第３実施形態に係る盛土または切土の法面区域及びその下側隣接区域における防草構造体を示した図であり、（ａ）が上面図であり、（ｂ）が側面からの断面図である。
【図４】本発明の第４実施形態に係る盛土または切土の法面区域及びその下側隣接区域における防草構造体を示した図であり、（ａ）が上面図であり、（ｂ）が側面からの断面図である。
【図５】本発明の各実施形態に係る水抜部を示した上面図であり、（ａ）と（ｂ）が第１と第３実施形態の水抜部の上面図であり、（ｃ）と（ｄ）が第２実施形態の水抜部の上面図であり、（ｅ）と（ｆ）が第４実施形態の水抜部の上面図である。また、（ａ）と（ｃ）と（ｅ）は釘状器具の間に水抜部を設ける場合を示し、（ｂ）と（ｄ）と（ｆ）は水抜部の中央を釘状器具で固定または抑える場合を示す。
【図６】（ａ）が本発明の第５実施形態に係る水抜手段である管状水抜部材を示した斜視図であり、（ｂ）が管状水抜部材を設けた場合の上面図であり、（ｃ）が管状水抜部材を設けた場合の側面図である。
【発明を実施するための形態】
【００２８】
＜第１実施形態＞
本発明の防草構造体およびその施工方法の第１の実施の形態について、図面を用いて詳細に説明する。
【００２９】
まず、本実施形態の防草構造体１の概略構成について図１（ａ）、（ｂ）及び図５（ａ）を用いて説明する。図１（ａ）、（ｂ）及び図５（ａ）に示したように、本実施形態の防草構造体１は、複数の防草シート１０が、シート重ね合わせ融着部１７にて接続された構造となっている。このように、適宜選択した寸法の複数の防草シート１０のシート重ね合わせ融着部１７を、加熱融着法またはテープ接着法により張り合わせて用いることにより、本発明の防草構造体１を任意の寸法の法面区域３０と法尻隣接区域３３に合わせて設置することができる。なお、本発明の防草構造体１は、道路、線路、河川、公園あるいは造林園およびこれらの周辺の地面、表面、法面区域３０と法尻隣接区域３３など、防草が必要な場所であれば、どのような場所にも用いることができる。
【００３０】
また、防草構造体１は、例えば、所定寸法の防水性防草シート１０を用いて、防草区域の形状に合わせて防草シート１０を切って並べることで作成することができる。複数の防草シート１０の間に隙間ができると、そこから植物が貫通してくることがあるので、各防草シート１０の対向する端部は融着または接着される。具体的には、防草構造体１は、一の防草シート１０における、隣接する他の防草シート１０と重なる端部を、防草シート１０の融着、接着材による接着、および、両面接着テープによる接着、の少なくとも何れかを用いて、例えば、盛土または切土９の法面区域３０と法尻隣接区域３３上の草の成育を防止する必要がある場所の領域範囲に合わせて固定することで形成される。この複数の防草シート１０を用いることで防草構造体１の施工を容易にすることができる。
【００３１】
また、例えば、法面区域３０と法尻隣接区域３３の幅が防草シート１０より狭い場合、すなわち法面区域３０と法尻隣接区域３３の幅が一般的に１ｍ程度以下の場合には、一枚のテープ状の防草シート１０を用いて防草構造体１を設置することができる。
【００３２】
なお、テープ接着法とは、両面に接着性のあるアスファルトテープを、端部と被接着面との間に挿入し、端部と被接着面との固定を行う方法である。住宅地近傍への設置の場合や、設置箇所近傍に下草等の可燃物が多い場合など、火気の使用が制限されている場合には、テープ接着法を用いて防草シート１０を固定することが好ましい。
【００３３】
より詳しくは、本実施形態の防草構造体１は、例えば、まず、堆積された盛土または切土９における法面区域３０と法尻隣接区域３３上に、敷設場所の形状に合うように、必要に応じて、５０ｍｍ〜２００ｍｍの重ね代で隣接させて配置できるように、防水性防草シート１０を切断したものを配置する。そして、融着の場合は、その重ね代の端部をトーチバーナーにより溶融させてから固化させることにより相互に加熱融着して防草構造体１を形成するように施工される。また、接着の場合は、その重ね代の端部間に、両面に接着性の自着層（例えば特殊ゴム化アスファルト粘着層）を有するテープを挟むように挿入し、転圧することで接着して防草構造体１を形成するように施工される。
【００３４】
このように防草シート１０をアスファルト系とすることにより、防草構造体１を形成する際のシート同士の接着または融着が容易になるだけでなく、各防草シート１０を固定する際の側溝等の構造物への融着または接着を、加熱または転圧のみであるように容易にすることができる
【００３５】
また、防草構造体１の各防草シート１０を固定する方法としては、上記した防草シート１０の端部を構造物に融着または接着する方法の他に、盛土または切土９に後述する第二の釘状器具１５等により一の防草シート１０の端部を固定してもよい。また、その一の防草シート１０の固定された端部に他の防草シート１０の端部を接合する場合には、その端部における第二の釘状器具１５等よりも内側に、隣接する他の防草シート１０の端部を重ね、重なり部分を融着または接着により固定するようにしてもよい。
【００３６】
本実施形態で防水性の防草シート１０を用いる理由は、植物の生育には水分が必要であることから、盛土または切土９の法面区域３０や法肩区域に降り注ぐ雨水のうち、少なくとも防水性の防草シート１０上に降ったり流れる雨水が盛土または切土９の中に浸透したりすることを減少させることで、防草シート１０下側の植物の生育を抑制するためである。
【００３７】
しかし、防草構造体１に防水性の防草シート１０を用いても、その各防草シート１０の各シートの隙間から雨水が浸入する場合がある。そのため、本実施形態の防草構造体１では、シート端部を隣接するシートの端部と隙間無く連続的に融着するか接着することで、複数の防水性のシートの重なった隙間から水が浸入しないようにし、防草シート１０下側の植物の生育を抑制を抑制している。また、重ね代の防水性をより完全にするために、重ね代の隙間に、例えば、シリコンを成分に含むコーキング材又はシーリング材（シーラント）等を充填して隙間を無くしてもよい。
【００３８】
盛土または切土９は、例えば、幹線道路、高速道路、鉄道の軌道等を敷設するために土木工事により土砂を堆積させて形成される。その場合の盛土または切土９の上面は平面であり、道路や軌道を敷設するための路盤等が設けられると共に、それらの道路や軌道に沿った端部には、排水のための側溝（例えば、Ｕ字溝２５）が設けられる。
【００３９】
防草シート１０は、例えば、１ｍ×１０ｍ等の所定寸法の改質アスファルト系の防草シートであり、法面区域３０と法尻隣接区域３３上の防草領域の範囲に合わせて、必要に応じて切断され、重ね代が加熱融着又は接着される。本実施形態の防草シート１０は、防水性を有する改質アスファルト系防草シート１０である。従って防草構造体１は防水性を有するので、盛土または切土９内の植物の種子や根への水分の供給を減らすことで植物の生育を抑制することができる。なお、防草シート１０の寸法は、法面区域３０と法尻隣接区域３３の寸法やその他の施工条件によって、適宜選択することができる。また、防草シート１０ａは法面区域３０上に敷設された防草シートであることを示し、防草シート１０ｂは法尻隣接区域３３上に敷設された防草シートであることを示す。
【００４０】
端部１１は、防草構造体１における法面区域３０と法尻隣接区域３３の上下方向に沿う一方の側端部および上側の側端部であり、各防草シート１０の一方の側端部及び上端部でもある。風雨の浸入抑制のため、その端部に沿って、その端部における固定する部分を埋設可能な寸法で掘削された溝に折り込まれ、その防草シート１０の端部に沿って、第二の釘状器具１５を少なくとも防草シート１０を貫通させて法面区域３０と法尻隣接区域３３に対して間欠的に打ち込むことで、防草シート１０の端部が盛土または切土９の法面区域３０と法尻隣接区域３３に固定される。そして、固定した後に、さらにその溝が埋め戻される。このように防草シート１０の端部１１を、法面区域３０と法尻隣接区域３３に第二の釘状器具１５で固定することで、風による防草シート１０の浮きを抑制できることに加えて、端部１１を溝中で固定して埋め戻すことで、風による防草シート１０の浮きを無くすことができる。また、雨水に対しても、防草シートの上端部を法面の溝状部に埋めることで、法面の上部から表層を流れてきた地表面流下雨水が防草シートの内部に流入することを抑制できるだけでなく、法面の内部に浸透することを堰き止めることができるので、法面の内部浸透する水量を減らすことができる。
【００４１】
端部１１を法面区域３０に防草シート１０の端部を埋め込む場合、その端部の埋め込み代の幅は、法面区域３０の状態によって変わるが概ね５ｃｍ〜３０ｃｍ程度であり、通常は１５ｃｍ程度が好ましい。防草シート１０の上端部を法面区域３０に埋め込む角度は、概ね、側面から見て、法尻隣接区域３３と平行な角度から、法面区域３０に直角な角度の間である。防草シート１０の側端部を法面区域３０に埋め込む角度も上端部と同様な範囲である。
【００４２】
端部１２は、防草構造体１における法面区域３０と法尻隣接区域３３の上下方向に沿う他方の側端部であり、各防草シート１０の他方の側端部でもある。本実施形態では、この端部１２は盛土または切土９の法面区域３０と法尻隣接区域３３の上下方向に沿って配置された法面構造体４０の上面に固定される。
このように端部１２は、側溝の上面以上の幅で第１融着または接着することで、固定することができる。固定方法としては、端部１２は、法面構造体４０の露出した区域を、例えば１００ｍｍ以上の幅で覆う。この覆う幅は、１００ｍｍ以上であれば、例えば２００ｍｍ、３００ｍｍでも４００ｍｍでもよい。そして、その端部１２部分は、融着または接着により固定される。
【００４３】
下端部１３は、法面区域３０と法尻隣接区域３３に敷設された防草構造体１における下側の側端部であり、各防草シート１０の下端部でもある。
本実施形態では、この下端部１３は盛土または切土９の法面区域３０と法尻隣接区域３３の下部に配置された側溝（下部構造体）の法面側側壁２６の上面に固定される。固定方法としては、下端部１３は、側溝であるＵ字溝２５の法面側側壁２６の上面を覆うように配置され、その法面側側壁２６の上面の幅で融着または接着することにより固定される。その融着または接着の際に、図５（ａ）に示したような水抜部１９が設けられる。下端部１３には、融着または接着による固定を強化するためと、水抜部１９を保護するために後述する第一の釘状器具１４が打ち込まれる。
このように下端部１３は、側溝の上面の幅で融着または接着する際に水抜部１９を設けることで、下端部１３を固定できると共に、法面３０からから防草シート１０の内部に浸み出してきた湧き水を排出させることができる。
【００４４】
この下端部１３の固定と、上記した端部１１および１２の固定とを合わせることで、法面区域３０と法尻隣接区域３３に連続させて防草シート１０を設置することができる。従って、その盛土または切土９の法面区域３０と法尻隣接区域３３には草が生えないようにできる。
【００４５】
第一の釘状器具１４は、コンクリートの構造体に打ち込んで固定される釘状器具であり、例えば、コンクリート用のビス、ビスとナイロンプラグとの組み合わせ、プラグアンカー、ビスとナイロンプラグと固定ディスクとの組み合わせ等である。防草シート１０を側溝（下部構造体）に固定し、また、防草シート１０を後述する法面構造体４０に固定するために、防草シート１０を貫通して下地のコンクリートにドリル等を用いて削孔し、第一の釘状器具１４を打ち込む。プラグを用いる場合には、先にプラグを挿入してからビス等をハンマーで打ち込むか、ドライバーでねじ込む。第一の釘状器具１４の使用間隔としては、下部構造体であるＵ字溝２５の法面側側壁２６の上側端面の形成方向に沿って、例えば０．４５ｍおきに間欠的に用いる。
このように追加の第一の釘状器具１４で固定することで、下端部１３または法面構造体４０への防草シート１０の固定をより確実にすることができる。
【００４６】
また、第一の釘状器具１４としては、オールアンカー、コンクリート釘、または測量釘なども用いることができる。オールアンカーとは、アンカー本体、打込みピン、ナットおよびワッシャーがセットになったアンカーのことである。オールアンカーの一例として、直径５ｍｍ、長さ３０ｍｍのものを用いることができる。また、オールアンカーによる固定を確実にするために、さらにオールアンカー用ディスク（例えば、厚さ１．２ｍｍ、直径４５ｍｍ）を用いることができる。また、コンクリート釘による固定を効率的にかつ確実にするために、自動釘打機を用いることが好ましい。
【００４７】
第二の釘状器具１５は、土中に埋める釘またはペグであり、例えば、折り曲げ又は金属加工によりＬ字形状又はＴ字形状等のハンマーによる打ち込みが容易な頭部を有し、反対側の先端は土中に潜り込み易いように尖端になっており、胴部分は直線形状またはスパイラル形状になっている。また、第二の釘状器具１５としてのＬ字型のピンの寸法の一例として、直径９ｍｍ、長辺の長さ２００〜３００ｍｍのものを用いることができる。例えば、第二の釘状器具１５は、防草シート１０の横方向の端部１１を、当該端部１１に沿って法面区域３０と法尻隣接区域３３に対して間欠的な間隔で、防草シート１０を貫通させて打ち込む。これにより、盛土または切土９の法面区域３０と法尻隣接区域３３に防草シート１０を固定できる。
このように防草シート１０の側端部１１を第二釘状器具１５で法面区域３０と法尻隣接区域３３に固定することで、風による防草シート１０の浮きを抑制することができる。
【００４８】
シート重ね合わせ融着部１７は、各防草シート１０の各側端部のうち、隣接するシートの側端部と隙間無く連続的に融着するか接着する部分であり、５０ｍｍ〜２００ｍｍの重ね代となる部分である。例えば、１００ｍｍを重ねて融着することで、複数の防水性シートの重なった隙間から水が浸入しなくなり、防草シート１０下側の植物の生育を抑制できる。また、重ね合わせ（重ね代）の防水性をより完全にするために、重ね代の隙間に、例えば、シリコンを成分に含むコーキング材又はシーリング材（シーラント）等を充填して隙間を無くしてもよい。
【００４９】
シート融着部１８は、各防草シート１０の各側端部のうち、下側のコンクリート製の構造物と、水抜部１９を除いて、隙間無く融着するか接着する部分であり、５０ｍｍ〜２００ｍｍの接着部分である。例えば、防草シート１０の端部１００ｍｍを下側の構造物に融着することで、シートにより水が浸入しなくなり、防草シート１０下側の構造物に含まれる鉄筋等の金属部の劣化等を抑制することができる。また、融着による防水性をより完全にするために、融着部の隙間に、例えば、シリコンを成分に含むコーキング材又はシーリング材（シーラント）等を充填して隙間を無くしてもよい。防草シート１０を下部構造体に固定する工程では、防草シート１０自体を融着させて固定するが、接着材による接着、および、両面接着テープによる接着の何れかを用いて固定するようにしてもよい。このように固定方法として融着と接着の何れかを用いることで、施工を容易にできる。
【００５０】
水抜部１９は、図５（ａ）に示したように、法面３０の下部から湧き出た水を排水させるために、防草シート１０の下端部１３の固定時に、その下端部１３に沿って、例えば、略０．５ｍ〜５ｍ毎に間欠的に、Ｌ１（例えば、５ｃｍ〜３０ｃｍ）の幅の部分を密閉されないようにして、他の部分は固定することで設けられる。このように間欠的に水抜部１９を設けることにより、盛土または切土９の法面３０下部における地中水の貯留量が飽和レベルに近くなる前に排水させることができる。この場合は、第一の針状器具１４の間に水抜部１９が配置されるので、水抜き部を設けたことにより防草シートの下端部の固定が弱くなることを抑制することができる。
【００５１】
また、図５（ｂ）に示したように、下端部１３に密閉されない水抜部１９を設けると共に、水抜部１９の略中心に第一の針状器具１４を配置して下の構造体に打ち込むようにしてもよい。すると第一の針状器具１４の周囲の下端部１３の辺方向両側に水抜部１９が形成されることになる。これにより、水抜部１９に限界以上に水が流れることで膨らんでしまい水抜部１９の両端の融着が剥がれ、その結果、水抜部１９の面積が拡大して固定が弱くなることを抑制することができる。
【００５２】
Ｕ字溝２５は、盛土または切土９の法面区域３０の下部で法尻隣接区域３３の中に設けられた下部構造体であって、盛土または切土９の下部の道路または線路の側溝であり、防草シート１０の下端部１３が固定される側溝である。
【００５３】
Ｕ字溝２５の法面３０側の側壁２６は、Ｕ字溝２５における両側の側壁の一方であり、盛土または切土９の法面区域３０と法尻隣接区域３３の下部に設けられた道路または線路の側の側壁とは対向する側壁である。
【００５４】
防草シート１０を下部構造体であるＵ字溝２５の側壁２６に固定する場合には、上記融着または接着に加えて、さらに防草シート１０を貫通して打ち込まれる第一の釘状器具１４を、下部構造体の形成方向に沿って間欠的に追加の釘状器具として用いて固定することで、より確実に固定することができる。
【００５５】
法面区域３０は、盛土または切土９の斜めのスロープ部分であり、この部分の全体、または下側（法尻側）に本実施形態の防草構造体１が配置される。
【００５６】
掘削部３１は、防草シート１０の端部１１を、その端部に沿って、法面区域３０における略同じ高さの左右方向や、法面区域３０と法尻隣接区域３３の上下方向に形成される。その掘削部３１に防草シート１０の端部１１を入れてから、第二の釘状器具１５を防草シート１０を貫通させて打ち込む。打ち込む間隔は、防草シート１０の端部１１に沿って、例えば０．５ｍ毎等の間欠的とする。これにより、盛土または切土９の法面区域３０と法尻隣接区域３３に防草シート１０を固定できる。このように防草シート１０の端部１１を法面区域３０と法尻隣接区域３３の掘削部３１に入れ、第二の釘状器具１５で固定することで、例えば、法面区域３０と法尻隣接区域３３に沿って吹く風や、法面区域３０と法尻隣接区域３３に向かって吹き付ける風が防草シート１０の下側に吹き込んで防草シート１０を捲れさせたり浮かせることを抑制できる。
【００５７】
埋設部３２は、上記のように防草シート１０の端部１１に沿って、その端部１１における固定する部分を埋設可能な寸法の溝形状に掘られた掘削部３１に、防草シート１０の端部１１を入れ、第二の釘状器具１５を打ち込んで固定した後に、その溝を埋め戻したものである。この防草シート１０の端部１１を溝中で固定して埋め戻すことで、固定を確実にすると共に、法面区域３０と法尻隣接区域３３に沿って吹く風や、法面区域３０と法尻隣接区域３３に向かって吹き付ける風による防草シート１０の捲れや浮きを無くすことができる。さらに、暴風などによって防草シート１０の第二端部１３が捲れることを防止することができる。
【００５８】
法尻隣接区域３３は、法面区域３０の下側（法尻側）に隣接する平坦部であり、法面区域３０の下側に道路または線路等の施設が設けられる場合には、その施設との間の区域、または、その施設の脇に設けられるＵ字溝等の構造体との間の区域である。
【００５９】
法面構造体４０は、法面区域３０を保護するために、例えば、モルタル吹付等により法面区域３０上に形成されたコンクリート性の構造体である。ここに、防草構造体１（防草シート１０）の端部１２が、例えば１００ｍｍの幅で、その構造体上部区域を覆うようにして固定される。なお、本実施形態では防草シート１０を構造体上部区域に固定するために、防草シート１０自体を融着させたが、接着材による接着、および、両面接着テープによる接着の何れかを用いて固定してもよい。この固定方法として融着と接着の何れかを用いることで、施工を容易にできる。
【００６０】
なお、本実施形態では、防草シート１０として改質アスファルト系のものを用いたが、本発明はこれに限定されるものではなく、市販の防水性防草シートから適宜選択して用いても効果を得ることができる。しかし、特に、可撓性、防水性および遮光性を有し、シート状の形状を有するものは、良好な耐久性を有することから好適に用いることができる。本発明に用いる防草シート１０の具体例として、優れた可撓性、防水性および遮光性を有する改質アスファルト系防草シート１０、例えば、特開２００２−２７２３４８号公報（特許文献１）に開示された改質アスファルト系防草シート１０を好ましく用いることができる。
【００６１】
「改質アスファルト系防草シート１０」とは、改質アスファルトを材料として含む防草シート１０のことをいう。改質アスファルトとしては、具体的には後述する耐貫通型防草シートの（ｂ）改質アスファルト層および（ｄ）改質アスファルト層に用いることのできる改質アスファルトと同様のものを用いることができる。改質アスファルト系防草シート１０は、建築用防水シート（改質アスファルト系防水シート）を転用して用いることができる。改質アスファルト系防草シート１０としては、単層の改質アスファルトからなるシートのみならず、２層の改質アスファルト層の間に不織布等からなる基材層を含む構造のものを用いることができる。
【００６２】
また、改質アスファルト系防草シート１０は、さらに表面層および裏面層を含むことができる。表面層は、後述する耐貫通型防草シートの（ａ）表面層と同様のものを用いることができる。また、裏面層には、合成樹脂フィルムを好適に用いることができる。合成樹脂フィルムとしては、具体的には、ＨＤＰＥフィルム（高密度ポリエチレン）およびＯＰＰフィルム（二軸延伸成形ポリプロピレン）などから選択したものを好適に用いることができる。また、後述する耐貫通型防草シートの（ｅ）裏面層と同様のものを用いることができる。
【００６３】
改質アスファルト系防草シート１０の構造の一例は、表面層、改質アスファルト層、基材層、改質アスファルト層および裏面層をこの順番で有する構造であるが、これらの層の全てを含む必要はなく、また、さらなる層を含むこともできる。
【００６４】
また、本発明の防草構造体１に用いる、防草シート１０の材料として改質アスファルト系防草シート１０を用い、端部を加熱融着法によりＵ字溝２５の法面側側壁２６に対して、固定することが好ましい。加熱融着法を用いることにより、防草シート１０と、ボックスカルバート２１の露出部近辺の上面及びＵ字溝２５の法面側側壁２６との接着・固定をさらに確実にすることができ、隙間の発生を確実に防止することができるためである。
【００６５】
また、本発明の防草構造体１に含まれる防草シート１０として、改質アスファルト系防草シート１０の１種である、硬く鋭い雑草の芽の防草シート１０に対する貫通防止性に優れる耐貫通型防草シートを用いることが特に好ましい。
【００６６】
＜耐貫通型防草シート＞
耐貫通型防草シートは、（ａ）無機質粒子または無機質粒子を含有する合成樹脂を含む表面層、（ｂ）改質アスファルト層、（ｃ）基材層、（ｄ）改質アスファルト層および（ｅ）合成樹脂または無機質粒子を含有する合成樹脂を含む裏面層の少なくとも５層をこの順で積層した耐貫通型防草シートであって、（ｃ）基材層が、織布、編み布および不織布からなる群より選ばれる少なくとも一つである基材Ａと、スクリムを有する基材Ｂとを含み、基材Ａの織布、編み布および不織布が、芯部と鞘部とを有する芯鞘構造の繊維を含み、芯部が融点２００℃以上の繊維および鞘部が融点２００℃以上の樹脂であり、（ｅ）裏面層の合成樹脂が硬質合成樹脂である耐貫通型防草シートである。
【００６７】
耐貫通型防草シートの好ましい態様を以下に示す。耐貫通型防草シートでは、これらの態様を適宜組み合わせることができる。
（ｅ）裏面層の硬質合成樹脂が、ポリプロピレン、ポリエステル、ポリカーボネート、ポリアミドイミド、ポリエステルイミド、ポリアミド、ポリイミド、ポリ塩化ビニルおよびポリハロゲン化ポリビニルからなる群より選択される少なくとも一つの合成樹脂である。
（２）（ｅ）裏面層が、厚さ１０〜５０μｍの二軸延伸成形ポリプロピレンフィルムである。
（３）（ｃ）基材層が、基材Ａと、基材Ｂと、基材Ａとをこの順に積層し、接着された、もしくは熱融着された三層構造を有する。
（４）芯部と鞘部とが、熱融着されている。
（５）基材Ｂが、複数の互いに平行な略等間隔の高強度繊維の繊維束からなる組を２組以上有し、異なった組の繊維束は、略等角度で互いに交差しあうスクリムである。
（６）基材Ａと、基材Ｂとの接触部の少なくとも一部が、融点２００℃以上の樹脂および／または２００℃で熱分解しない接着剤により接着されている、もしくは熱融着されている。
（７）（ｃ）基材層が、７５〜５００ｇ／ｍ２の目付量を有する。
（８）（ａ）表面層が、天然スレート、タルクおよびマイカからなる群より選ばれる少なくとも一種以上の、扁平状の無機質粒子を含む。
【００６８】
また、耐貫通型防草シートは、上記の防草シート１０を敷設した防草構造体１に用いることができる。
【００６９】
＜耐貫通型防草シートの効果＞
耐貫通型防草シートにより、道路、線路、河川、公園、または、造林園、および、これらの周辺などの地面、表面、特に法面区域３０と法尻隣接区域３３での草の成育を防止ための、遮光性を有して、耐候性、機械的特性、不透水性に優れ、さらに硬く鋭い雑草の芽の防草シート１０に対する貫通防止性に優れる防草シート１０を得ることができる。
【００７０】
＜（ｂ）層および（ｄ）層の改質アスファルト＞
（ｂ）層および（ｄ）層の改質アスファルトとしては、アスファルトおよびポリマーを含むもの、アスファルト、ポリマーおよび無機充填材の３成分を含むものなどを用いることができる。（ｂ）層および（ｄ）層の改質アスファルトとしては、アスファルト１００重量部に対し、ポリマー１０〜４０重量部、および無機充填材０〜２０重量部を含むものを用いることが好ましい。
【００７１】
改質アスファルトは、アスファルトおよびポリマーを含むもの、アスファルト、ポリマーおよび無機充填材の３成分を含むものなどを１２０〜２００℃で３〜３０時間加熱混合して調製したものを用いることが、防水・防湿性、伸縮性などに優れているために好ましい。
【００７２】
改質アスファルトには、以上述べた成分のほかに、プロセスオイル、ワセリン、セレシン、石油樹脂など、一般に合成樹脂やゴムの配合で用いられる撥水剤、顔料、増粘剤、耐光剤、耐候剤などの無機や有機の配合剤を添加してもよい。
【００７３】
（ｂ）層および（ｄ）層の改質アスファルトにおいて、アスファルトとしては、天然アスファルトやアスファルタイトなど天然に産するもの、ストレートアスファルト、ブローンアスファルト、カットバックアスファルト等の石油アスファルト、またはこれらのアスファルトの混合物等が好ましい。
【００７４】
（ｂ）層および（ｄ）層の改質アスファルトにおいて、ポリマーとしては、天然ゴム、合成ゴム、天然ゴムと合成ゴムとの混合物、ポリエチレン、エチレン酢酸ビニル共重合体、エチレンとアクリル酸誘導体との共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル、スチレンとブタジエンとの重合体（例えば、ＳＢＳなど、ＳＢＲなど）等を使用することができる。特にＳＢＳなどのゴム系が好適である。
【００７５】
（ｂ）層および（ｄ）層の改質アスファルトにおいて、無機充填材としては、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土、シリカ等の粒子状無機充填材、石綿やガラス繊維などの繊維状無機充填材を用いることができる。
【００７６】
（ｂ）層および（ｄ）層の改質アスファルトは、針入度が、好ましくは１０ｄｍｍ〜２００ｄｍｍの範囲、さらに好ましくは１５ｄｍｍ〜１００ｄｍｍの範囲、より好ましくは２０ｄｍｍ〜５０ｄｍｍの範囲、特に好ましくは２５ｄｍｍ〜３５ｄｍｍの範囲が柔軟性に優れるために好ましい。
【００７７】
耐貫通型防草シートでは、（ｂ）層および（ｄ）層として、上記組成の改質アスファルトを用いることにより、特に法面区域３０と法尻隣接区域３３に配置した場合には、法面区域３０と法尻隣接区域３３上部に不透水性に優れた層を形成することができ、雑草の生育に不可欠な水分を遮断できるのみならず、法面区域３０と法尻隣接区域３３が盛り土で構築されている場合には、法面区域３０と法尻隣接区域３３上部（法肩）からの雨水の浸透に伴う法面区域３０と法尻隣接区域３３自体の帯水を効果的に防止することにより、集中豪雨などに伴う法面区域３０と法尻隣接区域３３地盤の崩壊を回避することができる。
【００７８】
＜裏面層＞
耐貫通型防草シートは、裏面層が、合成樹脂または無機質粒子を含有する合成樹脂を含む。（ｅ）裏面層は、合成樹脂フィルムまたは無機質粒子を含有する合成樹脂フィルムであることが好ましい。
【００７９】
（ｅ）裏面層の合成樹脂は、硬質合成樹脂である。裏面層に、硬質合成樹脂を材料としたフィルムを用いることによって、チガヤなどの雑草の芽が、耐貫通型防草シートの（ｅ）裏面層を貫くことが防止できる。また、合成樹脂フィルムの表面滑性を活かして、雑草の芽の成長方向をシート裏面と平行な方向に誘導することが可能となる。
【００８０】
（ｅ）裏面層の合成樹脂フィルムの合成樹脂としては、耐光性および耐候性に優れたものを使用することが好ましい。
【００８１】
耐貫通型防草シートに用いる（ｅ）裏面層としては、厚さが、好ましくは１０〜５０μｍであり、さらに好ましくは１２〜４０μｍであり、特に好ましくは１５〜３０μｍの硬質合成樹脂フィルムを好適に使用できる。（ｅ）裏面層である硬質合成樹脂フィルムが前記範囲より厚い場合、チガヤの芽が耐貫通型防草シートを貫通するのを防止する効果は高くなるものの、耐貫通型防草シートの柔軟性が損なわれることがある。そのため、耐貫通型防草シートを製造したのちロール状に梱包するとシート表面にシワが発生するなどの問題が生じる可能性があり、また施工作業においても敷設時の作業性が損なわれる可能性がある。また、（ｅ）裏面層の合成樹脂フィルムが前記範囲より薄い場合には、硬く鋭いチガヤの芽が耐貫通型防草シートを貫通するのを防止する効果が小さくなる。硬質合成樹脂フィルムが前記範囲内であると、これらの問題が生じないため、好ましい。
【００８２】
このように本実施形態の防草構造体１およびその施工方法によれば、盛土または切土の法面区域における法尻側と、法尻からの構造物との隙間を含む区域全体にわたって植物の生育を抑制することができ、施工が容易で低コストの防草構造体１およびその施工方法を得ることができることに加えて、盛土または切土９における法面３０の下側に防水性防草シート１０を固定する場合に、法面３０等から防水性防草シート１０の内部に浸み出してきた湧き水を排出させることができ、防水性防草シート１０の破損や地盤の軟弱化を防ぐことができる。
【００８３】
＜第２実施形態＞
本発明の第２の実施の形態の防草構造体の概略構およびその施工方法について、図２（ａ）、（ｂ）及び図５（ｂ）を用いて説明する。図２（ａ）、（ｂ）及び図５（ｂ）に示した第２の実施の形態の防草構造体１は、第１の実施形態の防草構造体１と比較した場合、防草シート１０の下端部１３を固定する釘状器具が、第１の実施形態では、Ｕ字溝２５の法面側側壁２６の上面に打ち込んで固定される第一の釘状器具１４であったのが、土中に埋める釘またはペグである第二の釘状器具１５に変わっている。その他の構成については第１の実施形態と同様であるので重複する記載を省略する。
【００８４】
本実施形態では、第二の針状器具１５を、水抜部１９の長手方向の略中心の法面側側壁２６の外側に配置し、法面側側壁２６の外側に沿って法尻隣接区域３３の土中に打ち込む。
【００８５】
水抜部１９は、図５（ｃ）に示したように、法面３０の下部から湧き出た水を排水させるために、防草シート１０の下端部１３の固定時に、その下端部１３に沿って、例えば、略０．５ｍ〜５ｍ毎に間欠的に、Ｌ１（例えば、５ｃｍ〜３０ｃｍ）の幅の部分を密閉されないようにして、他の部分は固定することで設けられる。このように間欠的に水抜部１９を設けることにより、盛土または切土９の法面３０下部における地中水の貯留量が飽和レベルに近くなる前に排水させることができる。この場合は、第二の針状器具１５の間に水抜部１９が配置される。
【００８６】
また、図５（ｄ）に示したように、下端部１３に密閉されない水抜部１９を設けると共に、水抜部１９の略中心に第二の針状器具１５を配置して下の土に打ち込むようにしてもよい。その際に、第二の釘状器具１５は、折り曲げ又は金属加工によりＬ字形状又はＴ字形状等のハンマーによる打ち込みが容易な頭部を有しているので、そのＬ字形状又はＴ字形状の頭部の横に伸びる部分を水抜部１９の長手方向の略中心の上に配置し、水抜部１９の長手方向の略中心を横断させて抑えるようにする。すると下端部１３における第二の針状器具１５の頭部の周囲の辺方向両側に水抜部１９が形成されることになる。これにより、水抜部１９に限界以上に水が流れることで膨らんでしまい水抜部１９の両端の融着が剥がれ、その結果、水抜部１９の面積が拡大して固定が弱くなることを抑制することができる。
【００８７】
＜第３実施形態＞
本発明の第３の実施の形態の防草構造体の概略構およびその施工方法について、図３（ａ）、（ｂ）及び図５（ａ）を用いて説明する。図３（ａ）、（ｂ）及び図５（ａ）に示した第３の実施の形態の防草構造体１は、第１の実施形態の防草構造体１と比較した場合、防草シート１０の下端部１３を固定する第一の釘状器具１４を打ち込む対象が、第１の実施形態では、Ｕ字溝２５の法面側側壁２６の上面であったのが、法面側側壁２６のさらに法面側に配置されたコンクリート舗装材２９に変わっており、その分だけ下端部１３の法尻隣接区域３３を覆う幅が短くなっている。その他の構成については第１の実施形態と同様であるので重複する記載を省略する。
【００８８】
本実施形態では、水抜部１９は、防草シート１０の下端部１３をコンクリート舗装材２９上に固定する時に、その下端部１３に沿って間欠的に密閉されないようにして、他の部分は固定する。その際に、第１の実施形態では側壁２６の上面の幅以上に広い面積で融着または接着ができなかったが、本実施形態ではコンクリート舗装材２９上に１００ｍｍ幅または２００ｍｍ幅等に固定面積を広げることで、固定強度を上げることができる。その他は第１の実施形態と同様である。
【００８９】
本実施形態では、コンクリート舗装材２９を用いたが、本発明はこれに限らず他の舗装材料であってもよい。例えば、既製のコンクリート板やインターロッキング用ブロックを敷き詰めた舗装を用いたり、自然の真砂土と固形剤を水と混合して施工し透水性を有する舗装を用いたりしてもよい。このように本実施形態では、第１の実施形態よりも固定強度を上げることができ、また、側壁２６の上面の幅のように狭い範囲に合わせて防草シート１０の下端部１３を融着させる等が必要なくなり施工を容易にできる。
【００９０】
＜第４実施形態＞
本発明の第４の実施の形態の防草構造体の概略構およびその施工方法について、図４（ａ）、（ｂ）及び図５（ｃ）を用いて説明する。図４（ａ）、（ｂ）及び図５（ｃ）に示した第４の実施の形態の防草構造体１は、第１の実施形態の防草構造体１と比較した場合、Ｕ字溝２５が無くなっている。そして、それに従い、防草シート１０の下端部１３を固定する釘状器具が、第１の実施形態では、Ｕ字溝２５の法面側側壁２６の上面に打ち込んで固定される第一の釘状器具１４であったのが、土中に埋める釘またはペグである第二の釘状器具１５に変わっている。また、第二の釘状器具１５を打ち込む対象も、第１の実施形態のＵ字溝２５の法面側側壁２６の上面に対して、法尻隣接区域３３の土中に変わっており、その分だけ下端部１３の法尻隣接区域３３を覆う幅が短くなっている。
【００９１】
また、Ｕ字溝２５が無くなったことで、防草シート１０の下端部１３の固定方法が、端部１１と同様になる。つまり、下端部１３は、風雨の浸入抑制のため、その端部に沿って、その端部における固定する部分を埋設可能な寸法で掘削された溝に折り込まれ、その下端部１３に沿って、第二の釘状器具１５を少なくとも防草シート１０を貫通させて間欠的に打ち込むことで、下端部１３を法尻隣接区域３３に固定される。そして、固定した後に、さらにその溝が埋め戻される。
【００９２】
その際に、図５（ｅ）に示したように、例えば、その下端部１３に沿って、略０．５ｍ〜数ｍ毎に間欠的に、Ｌ２（例えば、５ｃｍ〜３０ｃｍ）の幅の埋め代部分が土中に埋まらないように、切れ目を入れて密閉されない水抜露出部３４を設ける。他の部分は溝に固定されて埋められる。このように間欠的に水抜露出部３４を設けることにより、盛土または切土９の法面３０下部における地中水の貯留量が飽和レベルに近くなる前に排水させることができる。この場合は、第二の針状器具１５の間に水抜露出部３４が配置される。その他の構成については第１の実施形態と同様であるので重複する記載を省略する。
【００９３】
また、図５（ｆ）に示したように、下端部１３に密閉されない水抜露出部３４を設けると共に、水抜露出部３４の略中心に第二の針状器具１５を配置して下の土に打ち込むようにしてもよい。その際に、第二の釘状器具１５は、折り曲げ又は金属加工によりＬ字形状又はＴ字形状等のハンマーによる打ち込みが容易な頭部を有しているので、そのＬ字形状又はＴ字形状の頭部の横に伸びる部分を水抜露出部３４の長手方向の略中心の上に配置し、水抜部１９の長手方向の略中心を横断させて抑えるようにする。すると下端部１３における第二の針状器具１５の頭部の周囲の辺方向両側に水抜露出部３４が形成されることになる。これにより、水抜露出部３４の風等による捲れ上がりを抑制することができる。
【００９４】
本実施形態では、水抜露出部３４は、防草シート１０の下端部１３を固定する時に、土中に固定されない部分として設けられるので、Ｕ字溝２５等の構造体が無い場所であっても下端部１３を固定すると共に水抜露出部３４を設けることができる。また、本実施形態では、防草シート１０の下端部１３を融着させる等が必要なくなり施工を容易にできる。
＜第５実施形態＞
本発明の第５の実施の形態の防草構造体の概略構およびその施工方法について、図６（ａ）、（ｂ）及び（ｃ）を用いて説明する。図６（ｂ）及び（ｃ）に示した第５の実施の形態の防草構造体１は、第１の実施形態の防草構造体１と比較した場合、防草シート１０を法尻に施工する際に、水抜手段として、固定する下端部に沿って間欠的に防草シート１０の法尻部を貫通させて管状水抜部材５０が設けられている。その他の構成については第１の実施形態と同様であるので重複する記載を省略する。
【００９５】
管状水抜部材５０は、図６（ａ）に示したように、管状の部材をＴ字型に接合して、Ｔ字の上の横棒部分に相当する管の両端に取水口５１を設け、Ｔ字の下の縦棒部分に相当する管の端部に排水口５２を設けて形成される。なお、本実施形態ではＴ字型としたが、各１個以上の取水口と排水口を有していれば他の形状であってもよい。取水口５１と排水口５２の開口部は、管の延伸方向に直角な開口に限らず、例えば、管の延伸方向に斜めに切断された開口であっても良い。また、取水口５１には、土砂の流入を防いで水だけ通過させるように透水性の透水防土膜６０で覆われる。
【００９６】
透水防土膜６０は、例えば、透水性の不織布、または、取水口５１の周囲の土砂よりも直径が小さい小孔を開口させた蓋等であってよい。透水防土膜６０の取水口５１への設置は、例えば、接着や固定リング等であってよい。管状水抜部材５０を設けることで、法面３０下部の固定を弱めることなく、また、法尻隣接区域３３上を湧き出た水が通過することにより法尻隣接区域３３の土壌を軟弱化させることなく、帯水した水を排出させることができるので、防水性防草シート１０の破損や地盤の軟弱化を防ぐことができる。
【符号の説明】
【００９７】
１  防草構造体、
９  盛土または切土、
１０  防草シート、
１１  端部、
１２  端部、
１３  下端部、
１４  第一の釘状器具（ナイロンプラグ＋ディスク）、
１５  第二の釘状器具（Ｌ字ピン）、
１７  シート重ね合わせ融着部、
１９  水抜部、
２３  Ｕ字溝の融着部、
２５  Ｕ字溝、
２６  Ｕ字溝の法面側側壁、
２７  Ｕ字溝の道路側側壁、
２８  Ｕ字溝の蓋、
２９  コンクリート舗装材、
３０  法面区域、
３１  法面上下方向掘削部、
３２  法面上下方向埋設部、
３３  法尻隣接区域、
３４  水抜露出部、
３５  切れ目、
４０  法面構造体、
５０  管状水抜部材、
５１  取水口、
５２  排水口、
６０  透水防土膜、
Ｌ１  Ｕ字溝の融着部の長さ、
Ｌ２  ボックスカルバート上融着部の長さ。
【図１】
0005440122.tif 000002
【図２】
0005440122.tif 000003
【図３】
0005440122.tif 000004
【図４】
0005440122.tif 000005
【図５】
0005440122.tif 000006
【図６】
0005440122.tif 000007